【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
印刷装置にセットされている印刷媒体のサイズの候補を取得する取得手段と、
印刷対象のデータに対する印刷設定として印刷媒体のサイズがユーザにより設定されており且つ前記設定されているサイズが前記取得手段により取得された候補に対応する場合、前記印刷対象のデータに基づく画像を前記設定されているサイズに対応する大きさで前記印刷装置に印刷させ、前記印刷設定として印刷媒体のサイズがユーザにより設定されていない場合、前記画像を前記候補に対応する大きさで前記印刷装置に印刷させる印刷制御手段と、を有し、
前記印刷設定として印刷媒体のサイズがユーザにより設定されており且つ前記設定されているサイズが前記候補に対応しない場合、前記印刷装置は前記画像を印刷しないことを特徴とする印刷制御装置。
【請求項２】
前記印刷設定として印刷媒体のサイズが設定されているか判定する判定手段をさらに有し、
前記印刷制御手段は、前記判定手段により印刷媒体のサイズが設定されていると判定され且つ前記設定されているサイズが前記候補に対応する場合、前記画像を前記設定されているサイズに対応する大きさで印刷させ、前記判定手段により印刷媒体のサイズが設定されていないと判定された場合、前記画像を前記候補に対応する大きさで印刷させることを特徴とする請求項１に記載の印刷制御装置。
【請求項３】
前記印刷設定として印刷媒体のサイズがユーザにより設定されており且つ前記設定されているサイズが前記候補に対応しない場合、ユーザに所定の通知を行う通知手段を有することを特徴とする請求項１または２に記載の印刷制御装置。
【請求項４】
前記印刷設定のサイズとして設定されているサイズに対応する候補が前記取得手段により取得されない場合、前記印刷制御手段は、前記印刷対象のデータを前記印刷媒体へ印刷させるか否かを所定の条件に従って決定し、前記印刷を行われないと決定した場合に、前記印刷が行われないように制御することを特徴とする請求項１乃至３のいずれか１項に記載の印刷制御装置。
【請求項５】
前記印刷制御手段は、ユーザによる印刷指示を前記所定の条件として、前記印刷対象のデータを前記印刷媒体へ印刷させるか否かを決定することを特徴とする請求項４に記載の印刷制御装置。
【請求項６】
前記取得手段は、前記印刷装置が備えるセンサが前記印刷装置にセットされている印刷媒体の幅を検出することで得られた前記印刷媒体のサイズの候補を取得することを特徴とする請求項１乃至５のいずれか１項に記載の印刷制御装置。
【請求項７】
前記印刷設定としてユーザにより印刷媒体のサイズが設定されておらず、且つ前記取得手段により前記印刷媒体のサイズの複数の候補が取得された場合、所定の条件に従って、前記複数の候補のいずれかを決定する決定手段を有し、
前記印刷制御手段は、前記決定手段により決定された候補に対応する大きさの画像を前記印刷装置に印刷させることを特徴とする請求項６に記載の印刷制御装置。
【請求項８】
前記決定手段は、前記印刷制御装置の仕向け情報と、前記印刷対象のデータに対して設定されている印刷媒体の種別の少なくとも一方を前記所定の条件として用いることで、前記複数の候補のいずれかを決定することを特徴とする請求項７に記載の印刷制御装置。
【請求項９】
前記印刷制御手段は、前記印刷設定としてユーザにより印刷媒体のサイズが設定されておらず、且つ前記取得手段により前記印刷媒体のサイズの複数の候補が取得された場合、前記複数の候補と、前記印刷において印刷媒体に設けられる余白の量を設定するための余白設定とに基づく大きさの画像を前記印刷装置に印刷させることを特徴とする請求項６に記載の印刷制御装置。
【請求項１０】
前記印刷制御手段は、前記複数の候補における幅と長さから、前記余白設定に対応する幅と長さをそれぞれ個別に選択し、選択された前記幅と前記長さに基づく大きさの画像を前記印刷装置に印刷させることを特徴とする請求項９に記載の印刷制御装置。
【請求項１１】
前記余白設定は印刷において印刷媒体に余白を設けるか否かを設定するための情報であることを特徴とする請求項９または１０に記載の印刷制御装置。
【請求項１２】
前記印刷制御手段は、前記余白設定が印刷媒体に余白を設けないための設定である場合、前記複数の候補のいずれよりも大きなサイズの画像を印刷させることを特徴とする請求項１１に記載の印刷制御装置。
【請求項１３】
前記印刷装置は、印刷媒体を印刷ヘッドに対応する位置に搬送して前記搬送された印刷媒体に対して前記印刷ヘッドにより印刷を実行し、前記センサは前記印刷ヘッドに対応する位置に設けられ、前記印刷媒体が搬送されたときに前記印刷媒体の幅を検出することを特徴とする請求項６乃至１２のいずれか１項に記載の印刷制御装置。
【請求項１４】
情報処理デバイスから、前記印刷対象のデータと、前記印刷設定を示す印刷設定情報を受信する受信手段を有し、
前記情報処理デバイスにおいて、ユーザにより、前記印刷設定において印刷媒体のサイズが設定され、
前記印刷制御装置は、前記受信手段により受信された前記印刷設定情報が示す、前記情報処理デバイスにおいてユーザにより設定された印刷媒体のサイズが、前記候補に対応する場合に、前記受信手段により受信された前記印刷対象のデータに基づく画像を、前記設定されたサイズに対応する大きさで前記印刷装置に印刷させることを特徴とする請求項１乃至１３のいずれか１項に記載の印刷制御装置。
【請求項１５】
前記印刷装置を印刷部として備えることを特徴とする請求項１乃至１４のいずれか１項に記載の印刷制御装置。
【請求項１６】
印刷装置と情報処理デバイスを含む印刷システムにおける印刷制御方法であって、
前記情報処理デバイスが、印刷対象のデータと、印刷設定を示す印刷設定情報とを前記印刷装置に送信する送信工程と、
前記印刷装置が、前記印刷装置にセットされている印刷媒体のサイズの候補を取得する取得工程と、
前記送信工程において送信された印刷設定情報が示す印刷設定において印刷媒体のサイズがユーザにより設定されており且つ前記設定されているサイズが前記取得工程において取得された候補に対応する場合、前記送信工程において送信された印刷対象のデータに基づく画像を前記設定されているサイズに対応する大きさで前記印刷装置に印刷させ、前記印刷設定として印刷媒体のサイズがユーザにより設定されていない場合、前記画像を前記候補に対応する大きさで前記印刷装置に印刷させる印刷制御工程と、を有し、
前記印刷設定として印刷媒体のサイズがユーザにより設定されており且つ前記設定されているサイズが前記候補に対応しない場合、前記印刷装置は前記画像を印刷しないことを特徴とする印刷制御方法。
【請求項１７】
請求項１６に記載の印刷制御方法をコンピュータに実行させるためのプログラム。
【手続補正２】
【補正対象書類名】明細書
【補正対象項目名】０００８
【補正方法】変更
【補正の内容】
【０００８】
上記問題点を解決するために本発明の印刷制御装置は、印刷装置にセットされている印刷媒体のサイズの候補を取得する取得手段と、印刷対象のデータに対する印刷設定として印刷媒体のサイズがユーザにより設定されており且つ前記設定されているサイズが前記取得手段により取得された候補に対応する場合、前記印刷対象のデータに基づく画像を前記設定されているサイズに対応する大きさで前記印刷装置に印刷させ、前記印刷設定として印刷媒体のサイズがユーザにより設定されていない場合、前記画像を前記候補に対応する大きさで前記印刷装置に印刷させる印刷制御手段と、を有し、前記印刷設定として印刷媒体のサイズがユーザにより設定されており且つ前記設定されているサイズが前記候補に対応しない場合、前記印刷装置は前記画像を印刷しないことを特徴とする。
【手続補正３】
【補正対象書類名】明細書
【補正対象項目名】０００９
【補正方法】変更
【補正の内容】
【０００９】
本発明によれば、適切なサイズの画像を印刷させることができる。